(57)【特許請求の範囲】
【請求項１】
可変圧力室の圧力が設定値以下であるときにＯＦＦとなるセンサスイッチであって、
前記可変圧力室に隣接する固定圧力室と前記可変圧力室とを隔てるダイヤフラムと、
前記ダイヤフラムに対して回転可能に備えられ、前記ダイヤフラムとの間に前記固定圧力室を形成し、前記ダイヤフラムに対向する面に複数の突起部を備える蓋状体と、
前記蓋状体の内部に備えられ、相対する２本の強磁性体リードが接点部で接触したときＯＮとなり、離隔したときＯＦＦとなるリードスイッチと、
前記ダイヤフラムの中央に配置され、前記リードスイッチの前記接点部を通り前記強磁性体リードの延在方向に略垂直な方向の第１直線上を移動する点にＮ極とＳ極の中間点を有し、前記中間点を含み前記第１直線に略垂直な面上に磁極方向を有する永久磁石と、を備え、
前記蓋状体は、回転により前記強磁性体リードの延在方向と、前記永久磁石の磁極方向と、がなす角度を変更し、前記永久磁石の前記中間点が、センサ対象の設定値に対応する前記第１直線上の点位置より前記リードスイッチに近いときに、前記リードスイッチがＯＮとなるような前記角度に変更し固定され、
前記ダイヤフラムは、前記可変圧力室の圧力が前記設定値以上の所定値より大きい圧力のとき、前記突起部に接触する、
ことを特徴とするセンサスイッチ。
【請求項２】
前記ダイヤフラムを前記リードスイッチの方向へ付勢するばねをさらに備える、
ことを特徴とする請求項１に記載のセンサスイッチ。
【請求項３】
請求項１又は２に記載のセンサスイッチを備え、
前記可変圧力室の入口にフィルタを有し、前記可変圧力室の出口から流体を吸引することにより流体が前記フィルタを通過するフィルタ装置であって、
前記可変圧力室の圧力が前記設定値以下となったときに前記リードスイッチがＯＦＦとなることに基づいて、前記フィルタの目詰まりが生じているという判定結果を出力する目詰まり判定部を有する、
ことを特徴とするフィルタ装置。
【請求項４】
可変圧力室に隣接する固定圧力室と前記可変圧力室とを隔てるダイヤフラムと、
前記ダイヤフラムに対して回転可能に備えられ、前記ダイヤフラムとの間に前記固定圧力室を形成し、前記ダイヤフラムに対向する面に複数の突起部を備える蓋状体と、
前記蓋状体の内部に備えられ、相対する２本の強磁性体リードが接点部で接触したときＯＮとなり、離隔したときＯＦＦとなるリードスイッチと、
前記ダイヤフラムの中央に配置され、前記リードスイッチの前記接点部を通り前記強磁性体リードの延在方向に略垂直な方向の第１直線上を移動する点にＮ極とＳ極の中間点を有し、前記中間点を含み前記第１直線に略垂直な面上に磁極方向を有する永久磁石と、を備えるセンサスイッチの調整方法であって、
前記蓋状体を回転することにより、前記強磁性体リードの延在方向と、前記永久磁石の磁極方向と、がなす角度を変更し、前記永久磁石の前記中間点がセンサ対象の設定値に対応する前記第１直線上の点位置より前記リードスイッチに近いときに、前記リードスイッチがＯＮとなるような前記角度を決定する角度決定ステップと、
前記角度決定ステップで決定した前記角度に変更して、当該角度に前記蓋状体を固定する角度固定ステップと、を有し、
前記ダイヤフラムは、前記可変圧力室の圧力が前記設定値以上の所定値より大きい圧力のとき、前記突起部に接触する、
ことを特徴とするセンサスイッチ調整方法。
【請求項５】
可変圧力室に隣接する固定圧力室と前記可変圧力室とを隔てるダイヤフラムと、
前記ダイヤフラムに対して回転可能に備えられ、前記ダイヤフラムとの間に前記固定圧力室を形成し、前記ダイヤフラムに対向する面に複数の突起部を備える蓋状体と、
前記蓋状体の内部に備えられ、相対する２本の強磁性体リードが接点部で接触したときＯＮとなり、離隔したときＯＦＦとなるリードスイッチと、
前記ダイヤフラムの中央に配置され、前記リードスイッチの前記接点部を通り前記強磁性体リードの延在方向に略垂直な方向の第１直線上を移動する点にＮ極とＳ極の中間点を有し、前記中間点を含み前記第１直線に略垂直な面上に磁極方向を有する永久磁石と、を備えるセンサスイッチを制御するコンピュータを、
前記蓋状体を回転することにより、前記強磁性体リードの延在方向と、前記永久磁石の磁極方向と、がなす角度を変更し、前記永久磁石の前記中間点がセンサ対象の設定値に対応する前記第１直線上の点位置より前記リードスイッチに近いときに、前記リードスイッチがＯＮとなるような前記角度を決定する角度決定部、
として機能させ、
前記ダイヤフラムは、前記可変圧力室の圧力が前記設定値以上の所定値より大きい圧力のとき、前記突起部に接触する、
ことを特徴とするプログラム。
【発明の詳細な説明】
【技術分野】
【０００１】
本発明は、センサ対象の変化量に応じてＯＮとＯＦＦの切り替えを行うセンサスイッチ、センサスイッチを備えたフィルタ装置、センサスイッチ調整方法及びプログラムに関する。
【背景技術】
【０００２】
センサ対象の変化量に応じてＯＮとＯＦＦの切り替えを行うセンサスイッチとして、センサ素子と、センサ素子に備えた磁石と、リードスイッチと、から構成されるものが知られている。これらは、センサ素子の形状や位置の変化に応じて変位する磁石とリードスイッチとの位置関係に応じて、ＯＮ又はＯＦＦの信号を出力する。
【０００３】
例えば、センサ素子として、圧力により形状や位置が変化するダイヤフラムやピストン等の圧力素子を用い、圧力素子に備えた磁石がリードスイッチに対して近接したときにＯＮを出力し、離隔したときにＯＦＦを出力する差圧スイッチがある（例えば、特許文献１）。この差圧スイッチは、例えば、フィルタに流体を通過させるフィルタ装置において、フィルタの目詰まりを検出するために、流路の減圧を検出する用途で用いられる。
【０００４】
特許文献１に記載の差圧スイッチは、一方の室と他方の室の差圧に応じてＯＮとＯＦＦを切り替えるスイッチであり、一方の室と他方の室を仕切るピストンに連動する磁石を備え、一方の室が低圧となることによりピストンが所定量移動したときの磁石に応答してリードスイッチが作動する。
【先行技術文献】
【特許文献】
【０００５】
【特許文献１】特開２００３−１３９６３６号公報
【発明の概要】
【発明が解決しようとする課題】
【０００６】
このようなセンサスイッチは、永久磁石やリードスイッチ等の部品の特性にばらつきがあることから、センサ対象の変化量が設定値となったときにリードスイッチが確実に切り替わるようにするために、リードスイッチと永久磁石との距離を微調整する必要がある。
【０００７】
特許文献１の差圧スイッチは、位置調整手段によりリードスイッチの位置を微調整するため、差圧が設定値に達したときにリードスイッチを確実に切り替えることができると説明している。
【０００８】
具体的にはリードスイッチホルダに雌ねじを設け、ピストンの上下運動をガイドするガイド筒部に雄ねじを設け、雌ねじと雄ねじが螺号してリードスイッチホルダがガイド筒部の周囲を螺旋状に移動することにより、リードスイッチとガイド筒部内のピストンに備えられた磁石との位置関係を微調整している。
【０００９】
このとき、リードスイッチホルダの回転によりリードスイッチのリード線に力が加わることを回避するため、リード線の端部に設けられたカラーやカラーを係止するザグリを有する挿通口等から構成されるリード線係止手段を備える必要があった。
【００１０】
このように、従来のセンサスイッチは、リードスイッチと永久磁石との位置関係を微調整するために数多くの部品を必要とし複雑な構成であったため、製造工程が多くなり、またコストも高くなるという問題があった。
【００１１】
本発明は、上記事情に鑑みてなされたものであり、簡易な構成で設定値において確実に作動するセンサスイッチ等を提供することを目的とする。
【課題を解決するための手段】
【００１２】
上記目的を達成するため、本発明の第１の観点に係るセンサスイッチは、
可変圧力室の圧力が設定値以下であるときにＯＦＦとなるセンサスイッチであって、
前記可変圧力室に隣接する固定圧力室と前記可変圧力室とを隔てるダイヤフラムと、
前記ダイヤフラムに対して回転可能に備えられ、前記ダイヤフラムとの間に前記固定圧力室を形成し、前記ダイヤフラムに対向する面に複数の突起部を備える蓋状体と、
前記蓋状体の内部に備えられ、相対する２本の強磁性体リードが接点部で接触したときＯＮとなり、離隔したときＯＦＦとなるリードスイッチと、
前記ダイヤフラムの中央に配置され、前記リードスイッチの前記接点部を通り前記強磁性体リードの延在方向に略垂直な方向の第１直線上を移動する点にＮ極とＳ極の中間点を有し、前記中間点を含み前記第１直線に略垂直な面上に磁極方向を有する永久磁石と、を備え、
前記蓋状体は、回転により前記強磁性体リードの延在方向と、前記永久磁石の磁極方向と、がなす角度を変更し、前記永久磁石の前記中間点が、センサ対象の設定値に対応する前記第１直線上の点位置より前記リードスイッチに近いときに、前記リードスイッチがＯＮとなるような前記角度に変更し固定され、
前記ダイヤフラムは、前記可変圧力室の圧力が前記設定値以上の所定値より大きい圧力のとき、前記突起部に接触する、
ことを特徴とする。
【００１４】
前記ダイヤフラムを前記リードスイッチの方向へ付勢するばねをさらに備えるようにしてもよい。
【００１５】
また、本発明の第２の観点に係るフィルタ装置は、
第１の観点に係るセンサスイッチを備え、
前記可変圧力室の入口にフィルタを有し、前記可変圧力室の出口から流体を吸引することにより流体が前記フィルタを通過するフィルタ装置であって、
前記可変圧力室の圧力が前記設定値以下となったときに前記リードスイッチがＯＦＦとなることに基づいて、前記フィルタの目詰まりが生じているという判定結果を出力する目詰まり判定部を有する、
ことを特徴とする。
【００１６】
また、本発明の第３の観点に係るセンサスイッチ調整方法は、
可変圧力室に隣接する固定圧力室と前記可変圧力室とを隔てるダイヤフラムと、
前記ダイヤフラムに対して回転可能に備えられ、前記ダイヤフラムとの間に前記固定圧力室を形成し、前記ダイヤフラムに対向する面に複数の突起部を備える蓋状体と、
前記蓋状体の内部に備えられ、相対する２本の強磁性体リードが接点部で接触したときＯＮとなり、離隔したときＯＦＦとなるリードスイッチと、
前記ダイヤフラムの中央に配置され、前記リードスイッチの前記接点部を通り前記強磁性体リードの延在方向に略垂直な方向の第１直線上を移動する点にＮ極とＳ極の中間点を有し、前記中間点を含み前記第１直線に略垂直な面上に磁極方向を有する永久磁石と、を備えるセンサスイッチの調整方法であって、
前記蓋状体を回転することにより、前記強磁性体リードの延在方向と、前記永久磁石の磁極方向と、がなす角度を変更し、前記永久磁石の前記中間点がセンサ対象の設定値に対応する前記第１直線上の点位置より前記リードスイッチに近いときに、前記リードスイッチがＯＮとなるような前記角度を決定する角度決定ステップと、
前記角度決定ステップで決定した前記角度に変更して、当該角度に前記蓋状体を固定する角度固定ステップと、を有し、
前記ダイヤフラムは、前記可変圧力室の圧力が前記設定値以上の所定値より大きい圧力のとき、前記突起部に接触する、
ことを特徴とする。
【００１７】
また、本発明の第４の観点に係るプログラムは、
可変圧力室に隣接する固定圧力室と前記可変圧力室とを隔てるダイヤフラムと、
前記ダイヤフラムに対して回転可能に備えられ、前記ダイヤフラムとの間に前記固定圧力室を形成し、前記ダイヤフラムに対向する面に複数の突起部を備える蓋状体と、
前記蓋状体の内部に備えられ、相対する２本の強磁性体リードが接点部で接触したときＯＮとなり、離隔したときＯＦＦとなるリードスイッチと、
前記ダイヤフラムの中央に配置され、前記リードスイッチの前記接点部を通り前記強磁性体リードの延在方向に略垂直な方向の第１直線上を移動する点にＮ極とＳ極の中間点を有し、前記中間点を含み前記第１直線に略垂直な面上に磁極方向を有する永久磁石と、を備えるセンサスイッチを制御するコンピュータを、
前記蓋状体を回転することにより、前記強磁性体リードの延在方向と、前記永久磁石の磁極方向と、がなす角度を変更し、前記永久磁石の前記中間点がセンサ対象の設定値に対応する前記第１直線上の点位置より前記リードスイッチに近いときに、前記リードスイッチがＯＮとなるような前記角度を決定する角度決定部、
として機能させ、
前記ダイヤフラムは、前記可変圧力室の圧力が前記設定値以上の所定値より大きい圧力のとき、前記突起部に接触する、
ことを特徴とする。
【発明の効果】
【００１８】
本発明によれば、簡易な構成で設定値において確実にセンサスイッチを作動させることが可能となる。
【図面の簡単な説明】
【００１９】
【図１】実施の形態に係るフィルタ装置の一部の断面図である。
【図２】リードスイッチ保持部の側面図である。
【図３】フィルタ装置の可変圧力室の圧力が低下したときのフィルタ装置の一部の断面図である。
【図４】リードスイッチ保持部の回転操作を説明するための図である。リードスイッチの強磁性体リードの延在方向と永久磁石の延在方向がなす角度が（ａ）２０°、（ｂ）３０°、（ｃ）１０°のときを示す。
【図５】リードスイッチ保持部の回転角と圧力の反応値との関係を示す図である。
【図６】角度決定処理を示すフローチャートである。
【発明を実施するための形態】
【００２０】
（実施の形態）
本発明の実施の形態について図面を参照して詳細に説明する。図１において、紙面右方向をＸ方向、紙面上方向をＺ方向、紙面に対して垂直の方向をＹ方向とする。
【００２１】
本実施の形態に係るフィルタ装置１は、図１に示すように、フィルタを入口に備えフィルタを通過した流体が内部を流れるケース１０と、ケース１０の開口部を封止するダイヤフラム１２と、リードスイッチ１４を保持するリードスイッチ保持部１６を備える。図１は、リードスイッチ１４の接点部Ａを原点とするＸＺ平面上の断面からＹ方向に向かって見た図である。
【００２２】
ケース１０にはダイヤフラム１２の裏面に対して付勢するばね１０１を備えている。ダイヤフラム１２の裏面には角柱状の永久磁石１８を備えている。ケース１０とダイヤフラム１２との間にできる空間に、流体の流れによって圧力が変化する可変圧力室１０２を形成する。
【００２３】
リードスイッチ保持部１６は、内部に空洞を有する蓋の形状を有しており、蓋の縁部に設けた係止突起１６１によりケース１０の開口部に回転可能に嵌合される。嵌合された状態のリードスイッチ保持部１６とダイヤフラム１２との間にできる空間に、圧力が一定である固定圧力室１６２を形成する。固定圧力室１６２は、リードスイッチ保持部１６に通気口を有することにより大気圧としてもよい。また、リードスイッチ保持部１６には、ダイヤフラム１２がリードスイッチ保持部１６に張り付くのを回避するための突起部１６３を有している。
【００２４】
リードスイッチ１４は、相対する２本の強磁性体リード１４１が、外部から印加される磁界により磁化され、相対した自由端が互いに引き寄せあうことで、接点部Ａで接触することによりＯＮとなるスイッチである。リードスイッチ１４は、リードスイッチ保持部１６に固定されており、リードスイッチ１４の接点部Ａは、図２に示すように、側面から見たときリードスイッチ保持部１６の固定圧力室１６２の中央に位置する。図１に示すように、リードスイッチ１４の強磁性体リード１４１から延びるリード線の一方は折り返され、２本のリード線が−Ｚ方向に延びている。
【００２５】
永久磁石１８は、リードスイッチ１４の接点部Ａを通り強磁性体リード１４１の延在方向Ｂに略垂直の第１直線Ｃ上に中間点が位置するようにダイヤフラム１２に対して固定されている。このとき永久磁石１８の磁極方向Ｄは、中間点を含み第１直線Ｃに略垂直な面上にある。
【００２６】
可変圧力室１０２にはフィルタを備えた入口１０３と、出口（不図示）とが設けられており、出口から流体を吸引することにより、フィルタを通過した流体が可変圧力室１０２に流れ込む。ここで、フィルタが目詰まりすることなく十分に流体を通過させることができる場合には、可変圧力室１０２には一定以上の圧力が保たれているため、ダイヤフラム１２はばね１０１の張力により、突起部１６３に接触した状態となっている（図１）。このとき、永久磁石１８がリードスイッチ１４に十分に近接しているためリードスイッチ１４はＯＮとなっている。
【００２７】
一方、フィルタが目詰まりすることにより十分に流体が通過できなくなった場合には、出口からの吸引力により可変圧力室１０２の圧力が低下する。圧力が低下するにつれ、図３に示すようにダイヤフラム１２の中央部は突起部１６３から離れ、永久磁石１８がリードスイッチ１４から離れることになる。そして、圧力が設定値以下となり、永久磁石１８の中間点とリードスイッチ１４の接点部Ａとの間の距離が所定値以上となったときにリードスイッチ１４はＯＦＦとなる。ここで、リードスイッチ１４がＯＦＦとなるときの永久磁石１８の中間点の位置は、圧力の設定値に対応する第１直線Ｃ上の点位置である。
【００２８】
ここで、永久磁石１８とリードスイッチ１４の性能には個体差があるため、リードスイッチ１４のＯＮとＯＦＦが切り替わるときのリードスイッチ１４と永久磁石１８との位置関係が使用する部品によって異なる場合がある。つまり、リードスイッチ１４のＯＮとＯＦＦが切り替わるときの可変圧力室１０２の圧力に差が生じる可能性がある。よって、予め定めた圧力において確実にリードスイッチ１４のＯＮとＯＦＦが切り替わるように、リードスイッチ１４と永久磁石１８との位置関係を微調整する必要がある。
【００２９】
本実施の形態においては、ケース１０に対してリードスイッチ保持部１６が嵌合しており、Ｘ方向の位置関係は不変である。一方、ケース１０に対してリードスイッチ保持部１６は回転可能であるため、図４に示すように、リードスイッチ１４の強磁性体リード１４１の延在方向Ｂと永久磁石１８の磁極方向Ｄとがなす角度を変えて適切な角度に固定することができる。つまり、本実施の形態においては、リードスイッチ保持部１６が角度固定手段として機能する。
【００３０】
この方向Ｂと方向Ｄがなす角度を微調整することにより、予め定めた圧力を境に、リードスイッチ１４のＯＮとＯＦＦが切り替わるようにする。具体的な手順としては、予め定めた圧力において、リードスイッチ１４のＯＮとＯＦＦが切り替わるような角度を決定し、方向Ｂと方向Ｄがなす角度が決定した角度となる位置でリードスイッチ保持部１６をケース１０に対して固定する。以下、方向Ｂと方向Ｄがなす角度と圧力の関係について詳細に説明する。
【００３１】
同じ永久磁石１８とリードスイッチ１４を用いた場合に、方向Ｂと方向Ｄのなす角度が図４に示すように（ａ）２０°、（ｂ）３０°、（ｃ）１０°となる位置でリードスイッチ保持部１６をケース１０に対して固定する。それぞれの角度において、圧力を下げていったときのリードスイッチ１４がＯＮからＯＦＦに切り替わる圧力を測定した。（ａ）２０°のときを基準としたとき、ＯＮからＯＦＦに切り替わった圧力は、（ｂ）３０°のときは、＋０．３ｋＰａ、（ｃ）１０°のときは、−０．２ｋＰａであった。
【００３２】
方向Ｂと方向Ｄのなす角度と、リードスイッチ１４がＯＮからＯＦＦに切り替わる圧力（反応値）の関係は、図５に示すように連続的に変化する。
【００３３】
この性質を利用すると、異なるリードスイッチ１４と永久磁石１８を用いたフィルタ装置それぞれについて、予め定めた圧力でリードスイッチ１４がＯＮからＯＦＦに切り替わる角度を決定することができる。
【００３４】
方向Ｂと方向Ｄのなす角度を決定する角度決定処理について、図６のフローチャートに沿って説明する。この処理は、可変圧力室１０２の圧力を制御する機能と、リードスイッチ１４のＯＮとＯＦＦを検出する機能を有する制御用コンピュータ等が実行する。制御用コンピュータは、角度決定処理で使用する圧力の設定値Ｐａ、方向Ｂと方向Ｄのなす角度θ１〜θｎｈ、可変圧力室１０２の圧力Ｐ１〜θｍｋ等の各種パラメータを記憶するメモリを有する。
【００３５】
まず、圧力の設定値Ｐａを取得する（ステップＳ１０１）。設定値Ｐａは、予めメモリに記憶しておいた値、又はユーザが入力した値等である。次にリードスイッチ１４の強磁性体リード１４１の延在方向Ｂと永久磁石１８の磁極方向Ｄがなす角度を順次変える。具体的には、ｎ＝１にして（ステップＳ１０２）、方向Ｂと方向Ｄのなす角度をθｎにする（ステップＳ１０３）。ここで、方向Ｂと方向Ｄのなす角度は、自動で角度を変更する角度変更装置を用いて変更してもよいし、ケース１０又はリードスイッチ保持部１６に角度を示す目盛りを付しておいて手動で角度を変更してもよい。
【００３６】
次に、ｍ＝１にして（ステップＳ１０４）可変圧力室１０２の圧力をＰｍに設定する（ステップＳ１０５）。この時リードスイッチ１４がＯＦＦになっていないかを判定する（ステップＳ１０６）。リードスイッチ１４がＯＦＦになっていた場合は（ステップＳ１０６；Ｙｅｓ）、その時の圧力Ｐｍをメモリに記憶する（ステップＳ１０７）。リードスイッチ１４がＯＦＦになっていない場合には（ステップＳ１０６；Ｎｏ）、ｍを１増やし（ステップＳ１０８）、ｍがｍｋ以下である場合には（ステップＳ１０９；Ｎｏ）、ステップＳ１０５に戻る。そしてステップＳ１０５〜Ｓ１０９を繰り返し、圧力を下げていき、リードスイッチがＯＦＦとなる時の圧力Ｐｍをメモリに記憶する（ステップＳ１０７）。
【００３７】
ステップＳ１０９でｍがｍｋを超えたときは（ステップＳ１０９；Ｙｅｓ）ｎを１増やし（ステップＳ１１０）、ｎがｎｈ以下である場合には（ステップＳ１１１；Ｎｏ）、ステップＳ１０３に戻る。そして、ステップＳ１０３〜Ｓ１１１を、角度をθ１からθｎｈまで変えて繰り返し実行する。これらの処理により、各々の角度θｎについて、圧力を下げていったときの、リードスイッチがＯＦＦとなる時の圧力Ｐｍをメモリに記憶する（ステップＳ１０７）。ｎがｎｈを超えた場合には（ステップＳ１１１；Ｙｅｓ）、ステップＳ１１２に進む。
【００３８】
それぞれの角度においてリードスイッチがＯＦＦに切り替わる時の圧力Ｐｍを取得することにより、方向Ｂと方向Ｄがなす角度とリードスイッチがＯＦＦとなるときの圧力の関係を求めることができる。この角度と圧力の関係からステップＳ１０１で取得した圧力の設定値Ｐａの時にリードスイッチ１４がＯＦＦに切り替わる角度を求め、その角度をメモリに記憶する（ステップＳ１１２）。そして、方向Ｂと方向Ｄのなす角度を、ステップＳ１１２で求めた角度に設定する。
【００３９】
上記の処理により、予め定めた圧力を境にリードスイッチ１４が確実にＯＮからＯＦＦに切り替わるような角度に設定することができる。
【００４０】
以上説明したように、本実施の形態においては、フィルタ装置１がリードスイッチ１４と、リードスイッチ１４の接点部Ａを通りリードスイッチ１４のリードの延在方向に略垂直な方向の第１直線Ｃ上を移動する点にＮ極とＳ極の中間点を有し、中間点を含み第１直線Ｃに略垂直な面上に磁極方向を有するように永久磁石１８を備える。そして、リードスイッチ１４の強磁性体リード１４１の延在方向Ｂと、永久磁石１８の磁極方向Ｄと、がなす角度を変更して、可変圧力室１０２の圧力が予め定めた圧力以下となったときにリードスイッチ１４がＯＮからＯＦＦに切り替わるような角度に固定する。これにより、リードスイッチ１４、永久磁石１８等の部品の性能にばらつきがある場合であっても、簡易的な構成で予め定めた圧力の設定値において確実にリードスイッチ１４を作動させることができる。
【００４１】
なお、本実施の形態は、圧力の変化により永久磁石１８の位置が変わり、それによりリードスイッチ１４のＯＮとＯＦＦが切り替わるという圧力センサスイッチについて説明したが、本実施の形態の、リードスイッチ１４の強磁性体リード１４１の延在方向Ｂと永久磁石１８の磁極方向Ｄがなす角度を変えるという構成は他のセンサにも適用することができる。例えば、位置センサ、液面レベルセンサ、近接センサ、開閉センサ等に適用することができる。これらは、センサ対象の変化量が予め設定した設定値以上又は未満となったこと等を検出するセンサであり、センサ対象の変化量に応じて永久磁石１８の位置が変わる構成である。本実施の形態と同様に、予め定めた変化量の設定値において確実にリードスイッチ１４を作動させることができるように、リードスイッチ１４の強磁性体リード１４１の延在方向Ｂと、永久磁石１８の磁極方向Ｄと、がなす角度を決定する。
【００４２】
このように本発明は、相対する２本の強磁性体リードが接点部で接触したときＯＮとなり、離隔したときＯＦＦとなるリードスイッチと、接点部を通り強磁性体リードの延在方向に略垂直な方向の第１直線上を移動する点にＮ極とＳ極の中間点を有し、中間点を含み第１直線に略垂直な面上に磁極方向を有する永久磁石と、を備えたセンサスイッチにおいて、永久磁石の中間点が、センサ対象の設定値に対応する第１直線上の点位置によりリードスイッチに近いときに、リードスイッチがＯＮとなるように、強磁性体リードの延在方向と、永久磁石の磁極方向と、がなす角度を決定しその角度に固定することとした。これにより、簡易な構成で設定値においてリードスイッチを確実に作動させることができる。
【００４３】
なお、本発明は、上記実施の形態に限定されず、本発明の要旨を逸脱しない範囲での種々の変更は勿論可能である。
【００４４】
例えば、上記実施の形態は、可変圧力室１０２の圧力が低下したときに、ダイヤフラム１２に備えた永久磁石１８がリードスイッチ１４から離れることでリードスイッチ１４がＯＮからＯＦＦに切り替わる圧力センサスイッチに係るものであるが、永久磁石１８がリードスイッチ１４に近づくことにより、リードスイッチ１４がＯＦＦからＯＮに切り替わるセンサスイッチであってもよい。例えば、可変圧力室１０２の入口１０３ではなく出口にフィルタを備え、入口１０３から流体を流入させることによりフィルタを通過させるフィルタ装置の場合、正常時には可変圧力室１０２は圧力が低く、フィルタの目詰まりが生じたときには、可変圧力室１０２の圧力は高くなる。可変圧力室１０２の圧力が高くなると、ダイヤフラム１２に備えた永久磁石１８がリードスイッチ１４に近づくため、リードスイッチ１４がＯＦＦからＯＮに切り替わる。このような構成の場合、リードスイッチ１４の強磁性体リード１４１の延在方向Ｂと、永久磁石１８の磁極方向Ｄと、がなす角度を変更し、可変圧力室１０２の圧力が予め定めた圧力以上となったときにリードスイッチ１４がＯＦＦからＯＮに切り替わるような角度に固定する。
【００４５】
また、角度決定処理のプログラムを、任意の配布方法で配布してもよい。例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、インターネット等の通信ネットワークを介して配布してもよい。
【符号の説明】
【００４６】
１…フィルタ装置
１０…ケース
１０１…ばね
１０２…可変圧力室
１０３…入口
１２…ダイヤフラム
１４…リードスイッチ
１４１…強磁性体リード
１６…リードスイッチ保持部
１６１…係止突起
１６２…固定圧力室
１６３…突起部
１８…永久磁石
【図１】
0006031432.tif 000002
【図２】
0006031432.tif 000003
【図３】
0006031432.tif 000004
【図４】
0006031432.tif 000005
【図５】
0006031432.tif 000006
【図６】
0006031432.tif 000007